(57)【要約】【課題】他人に気づかれることなく利用者に関する情報を隠すことができる情報表示装置を提供する。【解決手段】情報表示装置１０によれば、表示装置１２は利用者が個人で使用する場合に全ての情報を表示し、情報表示装置１０は外部機器２０から登録情報を取得したときに、利用者が他人から隠す第１情報の表示を阻止して第２情報のみを表示するようにしたことから、利用者は他人が居合わせる場合等に外部機器２０を介して第１情報の阻止を設定することができるため、他人に気づかれることなく、他人に知られたくない情報を隠すことができ且つ他人に不信感、不快感等を与えることも防止できる。【選択図】図１
2008046173.tif 000002
【特許請求の範囲】
【請求項１】
利用者が他人から隠す第１情報と該第１情報以外の第２情報とを記憶する記憶手段と、前記記憶手段に記憶している第１情報と第２情報の表示装置に対する表示を制御する表示制御手段を有する情報表示装置であって、
前記情報表示装置とは別体に形成された外部機器から予め定められた登録情報を取得する登録情報取得手段と、
前記登録情報取得手段による登録情報の取得に応じて前記表示装置に対する前記第１情報の表示を阻止する表示阻止手段と、
を有し、そして、
前記表示制御手段は、前記表示阻止手段によって第１情報の表示が阻止されている間は前記第２情報のみを表示する手段であることを特徴とする情報表示装置。
【請求項２】
前記登録情報取得手段は、前記外部機器から受信した無線信号から前記登録情報を取得する手段であることを特徴とする請求項１に記載の情報表示装置。
【請求項３】
請求項１又は２に記載の情報表示装置と、前記情報表示装置によって表示が制御される表示装置と、前記情報表示装置の利用者が所持する外部機器と、を有することを特徴とする情報表示システム。
【請求項４】
利用者が他人から隠す第１情報と該第１情報以外の第２情報との表示装置に対する表示を情報表示装置で制御する情報表示制御方法であって、
前記情報表示装置は、別体に形成された外部機器から予め定められた登録情報を取得すると、前記第１情報の表示を阻止して前記第２情報のみを前記表示装置に表示することを特徴とする情報表示制御方法。
【請求項５】
情報表示装置のコンピュータを利用者が他人から隠す第１情報と該第１情報以外の第２情報との表示装置に対する表示を制御する表示制御手段として機能させるための情報表示制御プログラムであって、
前記情報表示装置とは別体に形成された外部機器から予め定められた登録情報を取得する登録情報取得手段、
前記登録情報取得手段による登録情報の取得に応じて前記表示装置に対する前記第１情報の表示を阻止する表示阻止手段、
前記表示阻止手段によって第１情報の表示が阻止されている間は、前記表示制御手段を前記第２情報のみを表示する手段として前記情報表示装置のコンピュータを機能させることを特徴とする情報表示制御プログラム。
【発明の詳細な説明】
【技術分野】
【０００１】
本発明は、利用者が他人から隠す第１情報と該第１情報以外の第２情報との表示装置に対する表示を制御する情報表示装置、情報表示システム、情報表示制御方法及び情報表示制御プログラム等の技術分野に関する。
【背景技術】
【０００２】
カーナビゲーション装置、パーソナル・コンピュータ（パソコン）、ハードディスク・レコーダ、ＰＤＡ（personal digital assistant）、携帯電話機等の情報表示装置においては、個人情報の保護、セキュリティの向上のために、セキュリティモード等の装置の利用者、認証者等のみが操作できるようにして、利用者を制限する機能を有している。そして、セキュリティモードが設定されると、情報表示装置は利用者に対して暗証番号等の入力を促し、正しい暗証番号等が入力されたときにのみ、各種情報の参照が可能となる。
【０００３】
また、特許文献１に示す情報処理装置では、携帯情報機器を利用者の身につけさせ、情報処理装置と携帯情報機器の間で通信リンクが確立されるまでは、パスワード入力画面に移行しないようにすることで、さらなるセキュリティ機能の向上が図られてきた。
【特許文献１】ＷＯ  ０２／４２８９０  Ａ１号公報
【発明の開示】
【発明が解決しようとする課題】
【０００４】
しかしながら、上述した従来の情報表示装置にようにセキュリティ機能の向上を図るには、常時セキュリティモード等に設定しておく必要があるが、利用する度に暗証番号の入力等の認証作業が必要となり、手間が掛かるという問題があった。
【０００５】
また、情報表示装置が個人所有の専用機器である場合、通常はセキュリティモード等を設定しないで使用することになるが、突然他人が居合わせる、突然他人に貸すことになってセキュリティ機能を動作させたい場合、その他人の前でセキュリティモード等を設定する必要があり、セキュリティモード等を設定したこと又はそのモードに入っていることが他人に知られてしまうという問題があった。そのため、セキュリティモード等を設定すること自体が困難な場合もあり、その時に設定を行わないと、他人に利用者の個人に関する情報が知られてしまうという問題が生じる。本発明が解決しようとする課題は、上記した問題が一例として挙げられる。
【０００６】
よって本発明は、上述した問題点に鑑み、他人に気づかれることなく利用者に関する情報を隠すことができる情報表示装置、情報表示システム、情報表示制御方法及び情報表示制御プログラムを提供することを課題としている。
【課題を解決するための手段】
【０００７】
上記課題を解決するため本発明によりなされた請求項１記載の情報表示装置は、利用者が他人から隠す第１情報と該第１情報以外の第２情報との表示装置に対する表示を制御する表示制御手段を有する情報表示装置であって、前記情報表示装置とは別体に形成された外部機器から予め定められた登録情報を取得する登録情報取得手段と、前記登録情報取得手段による登録情報の取得に応じて前記表示装置に対する前記第１情報の表示を阻止する表示阻止手段と、を有し、そして、前記表示制御手段は、前記表示阻止手段によって第１情報の表示が阻止されている間は前記第２情報のみを表示する手段であることを特徴とする。
【０００８】
上記課題を解決するため本発明によりなされた請求項３記載の情報表示システムは、請求項１又は２に記載の情報表示装置と、前記情報表示装置によって表示が制御される表示装置と、前記情報表示装置の利用者が所持する外部機器と、を有することを特徴とする。
【０００９】
上記課題を解決するため本発明によりなされた請求項４記載の情報表示制御方法は、利用者が他人から隠す第１情報と該第１情報以外の第２情報との表示装置に対する表示を情報表示装置で制御する情報表示制御方法であって、前記情報表示装置は、別体に形成された外部機器から予め定められた登録情報を取得すると、前記第１情報の表示を阻止して前記第２情報のみを前記表示装置に表示することを特徴とする。
【００１０】
上記課題を解決するため本発明によりなされた請求項５記載の情報表示制御プログラムは、情報表示装置のコンピュータを利用者が他人から隠す第１情報と該第１情報以外の第２情報との表示装置に対する表示を制御する表示制御手段として機能させるための情報表示制御プログラムであって、前記情報表示装置とは別体に形成された外部機器から予め定められた登録情報を取得する登録情報取得手段、前記登録情報取得手段による登録情報の取得に応じて前記表示装置に対する前記第１情報の表示を阻止する表示阻止手段、前記表示阻止手段によって第１情報の表示が阻止されている間は、前記表示制御手段を前記第２情報のみを表示する手段として前記情報表示装置のコンピュータを機能させることを特徴とする。
【発明を実施するための最良の形態】
【００１１】
以下、本発明に係る情報表示装置、情報表示システム、情報表示制御方法及び情報表示制御プログラムの一最良の形態を、図１の図面を参照して以下に説明する。なお、図１は本発明に係る情報表示装置及び情報表示システムの基本構成の一例を示す構成図である。
【００１２】
図１において、情報表示装置１０は、利用者が他人から隠す第１情報と該第１情報以外の第２情報とを記憶する記憶手段１５と、前記記憶手段１５に記憶している第１情報と第２情報の表示装置１２に対する表示を制御する表示制御手段１１ａを有する情報表示装置１０であって、前記情報表示装置１０とは別体に形成された外部機器２０から予め定められた登録情報を取得する登録情報取得手段１１ｂと、前記登録情報取得手段１１ｂによる登録情報の取得に応じて前記表示装置１２に対する前記第１情報の表示を阻止する表示阻止手段１１ｃと、を有し、そして、前記表示制御手段１１ａは、前記表示阻止手段１１ｃによって第１情報の表示が阻止されている間は前記第２情報のみを表示する手段となっている。
【００１３】
この情報表示装置１０によれば、外部機器２０に割り振られた識別データ、アドレスや登録キーデータ等の登録情報が、登録情報取得手段１１ｂによって外部機器２０から取得されると、他人に知られたくない第１情報の表示が表示阻止手段１１ｃによって阻止され、その間は表示制御手段１１ａによって第２情報のみを表示装置１２に表示する。
【００１４】
また、情報表示制御プログラムは、情報表示装置１０のコンピュータを利用者が他人から隠す第１情報と該第１情報以外の第２情報との表示装置１２に対する表示を制御する表示制御手段１１ａとして機能させるための情報表示制御プログラムであって、前記情報表示装置１０とは別体に形成された外部機器２０から予め定められた登録情報を取得する登録情報取得手段１１ｂ、前記登録情報取得手段１１ｂによる登録情報の取得に応じて前記表示装置１２に対する前記第１情報の表示を阻止する表示阻止手段１１ｃ、前記表示阻止手段１１ｃによって第１情報の表示が阻止されている間は、前記表示制御手段１１ａを前記第２情報のみを表示する手段として前記情報表示装置１０のコンピュータを機能させる。
【００１５】
この情報表示装置１０のコンピュータは、情報表示制御プログラム実行し、外部機器２０に割り振られた識別データ、アドレスや登録キーデータ等の登録情報を外部機器２０から取得すると、他人に知られたくない第１情報の表示を阻止し、その間は第２情報のみを表示装置１２に表示する。
【００１６】
よって、表示装置１２は利用者が個人で使用する場合に全ての情報を表示し、外部機器２０から登録情報を取得したときに、利用者が他人から隠す第１情報の表示を阻止して第２情報のみを表示するようにしたことから、利用者は他人が居合わせる場合等に外部機器２０を介して第１情報の阻止を設定することができるため、他人に気づかれることなく、他人に知られたくない情報を隠すことができ且つ他人に不信感、不快感等を与えることも防止できる。また、利用者は周りに他人が居合わせない場合は、従来のセキュリティモード等を設定する必要がないため、暗証番号の入力等の認証作業が不要となり、手間が掛かるという問題も発生しないから、利用者が個人で利用する場合におけるセキュリティ及び操作性の向上を図ることができる。
【００１７】
また、前記登録情報取得手段１１ｂは、前記外部機器２０から受信した無線信号から前記登録情報を取得する手段となっている。
【００１８】
この情報表示装置１０によれば、外部機器２０から受信した無線信号から登録情報を登録情報取得手段１１ｂによって取得するようにしたことから、外部機器２０として小型の無線器等を用いることができるため、利用者は居合わせた他人により確実に気づかれることなく第１情報の阻止を設定することができる。
【００１９】
図１において、情報表示システム１は、上述した情報表示装置１０と、前記情報表示装置１０によって表示が制御される表示装置１２と、前記情報表示装置１０の利用者が所持する外部機器２０と、を有している。
【００２０】
また、情報表示制御方法は、利用者が他人から隠す第１情報と該第１情報以外の第２情報との表示装置１２に対する表示を情報表示装置１０で制御する情報表示制御方法であって、前記情報表示装置１０は、別体に形成された外部機器２０から予め定められた登録情報を取得すると、前記第１情報の表示を阻止して前記第２情報のみを前記表示装置１２に表示することを特徴とする。
【００２１】
この情報表示システム１及び情報表示制御方法によれば、情報表示装置１０は、外部機器２０に割り振られた識別データ、アドレスや登録キーデータ等の登録情報を外部機器２０から取得すると、他人に知られたくない第１情報の表示を阻止して第２情報のみを表示装置１２に表示する。
【００２２】
よって、表示装置１２は利用者が個人で使用する場合に全ての情報を表示し、情報表示装置１０は外部機器２０から登録情報を取得したときに、利用者が他人から隠す第１情報の表示を阻止して第２情報のみを表示するようにしたことから、利用者は他人が居合わせる場合等に外部機器２０を介して第１情報の阻止を設定することができるため、他人に気づかれることなく、他人に知られたくない情報を隠すことができ且つ他人に不信感、不快感等を与えることも防止できる。また、利用者は周りに他人が居合わせない場合は、従来のセキュリティモード等を設定する必要がないため、暗証番号の入力等の認証作業が不要となり、手間が掛かるという問題も発生しないから、利用者が個人で利用する場合におけるセキュリティ及び操作性の向上を図ることができる。
【実施例】
【００２３】
次に、上述した情報表示装置及び情報表示システムをカーナビゲーション装置に適用する場合の実施例を、図２乃至図５の図面を参照して以下に説明する。なお、上述した図１に示す基本構成のところで説明したものと同一あるいは相当する部分には同一符号を付して説明する。
【００２４】
図２において、カーナビゲーションシステム１は、車両に搭載されるカーナビゲーション装置１０と、該カーナビゲーション装置１０を所有する利用者が携帯可能な例えばキーホルダ状に形成された外部機器２０と、を有している。そして、本実施例では、カーナビゲーション装置１０が、プライバシーを保護するプライベートモードと通常表示モードとを有している。
【００２５】
カーナビゲーション装置１０は、上述した情報表示装置に相当し、コンピュータとしての制御部１１と、表示装置としての表示部１２と、操作部１３と、通信部１４と、記憶手段としての記憶部１５と、を有している。
【００２６】
制御部１１には、表示部１２、操作部１３、通信部１４、記憶部１５等が接続されている。なお、本実施例では、情報表示装置をカーナビゲーション装置１０で実現していることから、制御部１１には、図示しない速度センサ、ＧＰＳ（Global Positioning System）受信機、光学ドライブ等が接続されており、各種信号が入力される。
【００２７】
制御部１１は、カーナビゲーション装置１０全体の制御を司り、周知である中央演算処理装置（ＣＰＵ）等が用いられる。つまり、本実施例では、制御部１１がカーナビゲーション装置１０におけるコンピュータに相当している。なお、ＣＰＵには、該ＣＰＵのためのプログラム等を格納した読み出し専用のメモリであるＲＯＭ、各種のデータを格納するとともにＣＰＵの処理作業に必要なエリアを有する読み出し書き込み自在のメモリであるＲＡＭ等が接続されている。
【００２８】
表示部１２は、例えば、周知のＬＣＤ（Liquid Crystal Display）等の各種表示装置が用いられる。この表示部１２は、制御部１１の制御によって、例えば、地図画像や車両の現在地点、これに重畳された検索経路（ルート）、この検索経路に関連する経路案内、経由地点等が表示される。なお、本実施例では、上述した情報表示装置と表示装置をカーナビゲーション装置１０として、一体に実現する場合について説明するが、別体で実現することもできる。
【００２９】
操作部１３は、検索条件やルート設定等の指令入力用の各種キースイッチ等の入力装置を有する。そして、操作部１３は、入力装置における入力に応じた入力信号を制御部１１に入力する。なお、操作部１３の構成については、音声入力装置等の各種入力装置を用いることもできる。
【００３０】
通信部１４は、電波や赤外線などを用いて通信を行う無線通信装置が用いられている。なお、本実施例では、Bluetoothの規格による近距離無線接続が可能な無線通信装置を用いることで、他人に知られることなくプライベートモードへの切り替え操作を可能としている。なお、通信部１４としては、無線通信装置の他にも、有線による通信装置を用いるなど種々異なる実施形態とすることができる。
【００３１】
記憶部１５は、ハードディスク装置、大容量メモリ等が用いられており、上述した情報表示制御プログラムと、モード設定情報と、登録情報と、第１情報と、第２情報と、を記憶している。情報表示制御プログラムは、制御部１１が実行することで、制御部１１を上述した表示制御手段、登録情報取得手段及び表示阻止手段として制御部１１を機能させる。
【００３２】
モード設定情報は、プライベートモードを適用するか否かを示すモード設定データを有している。そして、モード設定データは、利用者等によって設定されたプライベートモードのＯＮ／ＯＦＦを示すデータである。
【００３３】
登録情報は、外部機器２０を認証するために予め定められた情報となっており、例えば、外部機器２０に割り振られた識別コード、アドレス、パスワード等が挙げられる。このように登録情報は、外部機器２０からその情報を取得したときに、プライベートモードが要求されたと判定するための情報となっている。
【００３４】
第１情報は、利用者が他人から隠したい情報であり、カーナビゲーション装置１０においては、例えば、走行履歴、登録地点、最近探した場所等の普段使うには便利な機能ではあるが、他人にはあまり知られたくない情報となっている。また、第２情報は、第１情報以外の情報、つまり、利用者が他人に見せても差し支えのない情報となっている。
【００３５】
なお、第１情報については、設定用アプリケーション・プログラムを記憶部１５に記憶しておき、プライベートモードで隠す情報を利用者が任意に設定する、又は、予め定められた情報のみを隠すなど種々異なる実施形態とすることができる。
【００３６】
外部機器２０は、メモリ２１と、通信部２２と、操作部２３と、を有している。メモリ２１は、上述した登録情報等を記憶している。通信部２２は、無線信号を出力する、カーナビゲーション装置１０の通信部１４と通信可能な無線通信装置が用いられている。操作部２３は、利用者によって押圧される操作ボタンを有している。そして、外部機器２０は、操作部２３が操作されると、メモリ２１の登録情報を有する無線信号が通信部２２から発信する。なお、外部機器２０は、携帯電話機、携帯型の外部記憶装置など種々異なる実施形態とすることができる。
【００３７】
次に、図２に示す制御部１１が実行する情報表示制御プログラムの一例を、図３のフローチャートを参照して以下に説明する。
【００３８】
制御部１１は、情報表示制御プログラムを実行すると、ステップＳ１１において、記憶部１５のモード設定情報がＯＮであるか否かを判定する。ＯＮではないと判定した場合（Ｓ１１でＮ）、ステップＳ１８に進む。一方、ＯＮであると判定した場合（Ｓ１１でＹ）、ステップＳ１２に進む。
【００３９】
ステップＳ１２において、通信部１４によって無線信号を受信したか否かを判定する。無線信号を受信していないと判定した場合（Ｓ１２でＮ）、ステップＳ１８に進む。一方、無線信号を受信したと判定した場合（Ｓ１２でＹ）、ステップＳ１３に進む。
【００４０】
ステップＳ１３（登録情報取得手段）において、予め定められて記憶部１５に記憶している登録情報が無線信号に含まれているか否かを判定する。登録情報を含んでいないと判定した場合（Ｓ１３でＮ）、ステップＳ１８に進む。一方、登録情報を含んでいると判定した場合（Ｓ１３でＹ）、登録情報を取得できたと判定して、ステップＳ１４に進む。
【００４１】
ステップＳ１４において、プライベートモード情報にＯＮを設定し、ステップＳ１５において、第１情報を隠して第２情報のみを表示するプライベートモード用表示画面を表示部１２に表示する制御を行うプライベートモード表示処理を実行し、その後ステップＳ１６に進む。
【００４２】
なお、プライベートモード表示画面は、他人にモードが設定されていることが知られないプライベートモード用の画面構成となっているが、例えば、通常用の画面構成から利用者によって設定された項目、表示エリア等を隠すなど種々異なる実施形態とすることができる。そして、メニュー画面等については、第１情報の表示を要求する項目等は構成から排除している。
【００４３】
ステップＳ１６において、通信部１４によって無線信号を受信したか否かを判定する。無線信号を受信していないと判定した場合（Ｓ１６でＮ）、ステップＳ１５に戻り、一連の処理を繰り返すことで、プライベートモードでの表示を継続する。一方、無線信号を受信したと判定した場合（Ｓ１６でＹ）、ステップＳ１７において、プライベートモード情報にＯＦＦを設定し、ステップＳ１８に進む。
【００４４】
ステップＳ１８において、第１情報と第２情報の全てを表示する通常用表示画面を表示部１２に表示する制御を行う通常表示処理を実行し、その後ステップＳ１９に進む。なお、通常表示画面は、利用者のみが使用中であると前提として全ての情報を表示する画面構成となっている。
【００４５】
ステップＳ１９において、終了要求を受けたか否かを判定する。終了要求を受けていないと判定した場合（Ｓ１９でＮ）、ステップＳ１１に戻り、一連の処理を繰り返す。一方、終了要求を受けたと判定した場合（Ｓ１９でＹ）、処理を終了する。
【００４６】
次に、上述したカーナビゲーションシステム１におけるカーナビゲーション装置１０の動作（作用）の一例を、図４の図面を参照して以下に説明する。
【００４７】
カーナビゲーション装置１０は、設定モード状態Ｔ１において、外部機器２０と通信を確立すると、外部機器２０から登録情報を受信して記憶部１５に記憶することで、外部機器２０の登録を行う。
【００４８】
カーナビゲーション装置１０は、登録済モード状態Ｔ２において起動されると、第１情報と第２情報を表示する通常表示モード状態Ｔ３に遷移する。よって、利用者の周りに他人が居ない場合、この通常表示モード状態Ｔ３でカーナビゲーション装置１０を利用するので、パスワードの入力等の認証作業が不要なので、利用者を煩わせることはない。
【００４９】
また、通常表示モード状態Ｔ３において、利用者の周りに他人が存在する場合に、利用者が外部機器２０の操作部２３を操作することで、外部機器２０から無線信号を受信すると、その無線信号から登録情報を取得して、他人には隠したい第１状態情報を隠すプライベートモード状態Ｔ４に遷移する。よって、表示部１２には、第２情報のみが表示されるので、第１情報が他人に見られることを防止することができる。
【００５０】
プライベートモード状態Ｔ４において、第１情報を隠す必要が無くなった場合、操作部１３の所定の操作、外部機器２０の操作等を利用者が行うことで、通常表示モード状態Ｔ３に遷移して、通常の第１情報と第２情報の表示を行う。
【００５１】
以上説明したカーナビゲーション装置１０によれば、表示部１２は利用者が個人で使用する場合に全ての情報を表示し、外部機器２０から登録情報を取得したときに、利用者が他人から隠す第１情報の表示を阻止して第２情報のみを表示するようにしたことから、利用者は他人が居合わせる場合等に外部機器２０を介して第１情報の阻止を設定することができるため、他人に気づかれることなく、他人に知られたくない情報を隠すことができ且つ他人に不信感、不快感等を与えることも防止できる。また、利用者は周りに他人が居合わせない場合は、従来のセキュリティモード等を設定する必要がないため、暗証番号の入力等の認証作業が不要となり、手間が掛かるという問題も発生しないから、利用者が個人で利用する場合におけるセキュリティ及び操作性の向上を図ることができる
【００５２】
また、外部機器２０から受信した無線信号から登録情報を取得するようにしたことから、外部機器２０として小型の無線器等を用いることができるため、利用者は居合わせた他人により確実に気づかれることなく第１情報の阻止を設定することができる。
【００５３】
さらに、本実施例では、カーナビゲーション装置１０が上述した図３に示すフローチャートのように、外部機器２０の操作によってプライベートモードをＯＦＦさせる場合について説明したが、本発明はこれに限定するものではなく、種々異なる実施形態とすることができる。
【００５４】
例えば、利用者によるプライベートモードのＯＦＦ設定を不要とするには、図５に示すフローチャートとすれば対応することができる。なお、上述した図３に示すフローチャートと同一あるいは相当する部分には、同一符号を付して詳細な説明は省略する。
【００５５】
制御部１１は、情報表示制御プログラムを実行すると、ステップＳ１０において、節電状態等で動作してカーナビゲーション装置１０の電源ＯＮを監視し、電源ＯＮの検出に応じて覚醒する。
【００５６】
そして、上述したようにステップＳ１１でモード設定情報がＯＮではないと判定した（Ｓ１１でＮ）、または、ステップＳ１２で無線信号を受信していないと判定した（Ｓ１２でＮ）、または、ステップＳ１３で登録情報を含んでいないと判定した（Ｓ１３でＮ）場合は、ステップＳ１８において、第１情報と第２情報の全てを表示する通常用表示画面を表示部１２に表示する制御を行う通常表示処理を実行し、ステップＳ１１に戻り、一連の処理を繰り返す。
【００５７】
また、上述したようにステップＳ１１でモード設定情報がＯＮであると判定した（Ｓ１１でＹ）、かつ、ステップＳ１２で無線信号を受信したと判定した（Ｓ１２でＹ）、かつ、ステップＳ１３で登録情報を含んでいると判定した（Ｓ１３でＮ）場合は、ステップＳ１４において、プライベートモード情報にＯＮを設定し、ステップＳ１５において、上述したプライベートモード表示処理を実行して、ステップＳ２０に進む。
【００５８】
ステップＳ２０において、カーナビゲーション装置１０の電源がＯＦＦされたか否かを判定する。ＯＦＦされていないと判定した場合（Ｓ２０でＮ）、ステップＳ１５に戻り、プライベートモード表示処理を継続する。一方、ＯＦＦされていると判定した場合（Ｓ２０でＹ）、ステップＳ２１において、プライベートモード情報にＯＦＦを設定し、処理を終了する。
【００５９】
このようにカーナビゲーション装置１０は、通常表示モード状態Ｔ３において、利用者の周りに他人が存在する場合、利用者が外部機器２０の操作部２３を操作することで、外部機器２０から無線信号を受信すると、その無線信号から登録情報を取得して、他人には隠したい第１状態情報を隠すプライベートモード状態Ｔ４に遷移する。そして、プライベートモード状態Ｔ４において、カーナビゲーション装置１０の電源がＯＦＦされることで、通常表示モード状態Ｔ３に遷移して処理を終了する。
【００６０】
以上説明したカーナビゲーション装置１０によれば、上述した作用効果に加え、利用者によるプライベートモード解除操作が不要となるため、操作性の向上を図ることができる。また、外部機器２０の操作部２３の構造の簡単化を図ることができ、コストダウンに貢献することができる。
【００６１】
なお、上述した本実施例では、カーナビゲーション装置１０と外部機器２０とを無線にて通信を確立する場合について説明するが、有線により通信を確立したり、着脱自在の記憶媒体をアクセスして登録情報を読み出す（取得する）等の各種実施形態とすることもできる。
【００６２】
また、上述した本実施例では、情報表示装置をカーナビゲーション装置１０で実現する場合について説明したが、本発明はこれに限定するものではなく、ハードディスク（ＨＤＤ）／ＤＶＤ（digital versatile disk）プレイヤー装置、パーソナル・コンピュータ（パソコン）、ビデオデッキ、携帯電話機、ＰＤＡ等で実現することもできる。
【００６３】
ＨＤＤ／ＤＶＤプレイヤー装置の場合、第１情報として録画した内容の一部やデータを他人が居合わせた際に隠す、再生できないようにする。パソコンの場合、第１情報として写真や閲覧したホームページの履歴、他人に見せたくないフォルダなどを隠す。ビデオデッキの場合、第１情報として予約した内容の閲覧ができない、再生できないようにする。携帯電話機の場合、第１情報として他人に携帯電話を貸し出したときに、見られたくない電話帳やメールを閲覧できないようにする。ＰＤＡの場合、第１情報として他のもとの同様に、見られたくない情報を閲覧できなくする。
【００６４】
その他、本発明の実施の際の具体的な構成および手順は、本発明の目的を達成できる範囲で他の構成などに適宜変更できる。
【図面の簡単な説明】
【００６５】
【図１】本発明に係る情報表示装置の基本構成の一例を示す構成図である。
【図２】本発明の情報表示装置を適用したカーナビゲーションシステムの概略構成の一例を示す構成図である。
【図３】図２中の制御部が実行する情報表示制御処理の処理概要の一例を示すフローチャートである。
【図４】情報表示装置としてのカーナビゲーション装置の状態遷移を説明するための図である。
【図５】図２中の制御部が実行する情報表示制御処理の処理概要の他の一例を示すフローチャートである。
【符号の説明】
【００６６】
１    カーナビゲーションシステム
１０    情報表示装置（カーナビゲーション装置）
１１ａ    表示制御手段（制御部）
１１ｂ    登録情報取得手段（制御部）
１１ｃ    表示阻止手段（制御部）
１２    表示装置（表示部）
１５    記憶手段（記憶部）
【図１】
2008046173.tif 000003
【図２】
2008046173.tif 000004
【図３】
2008046173.tif 000005
【図４】
2008046173.tif 000006
【図５】
2008046173.tif 000007